(57)【要約】      （修正有）【課題】透光性の板状体の内部に設けられるＬＥＤ半導体照明ランプが点燈してタクシー外部に「空車」状態を示すので、夜間にも光線を通してタクシー待ちの歩行者は簡単に見付けることが可能であり、また容易にタクシー待機中の者をつかむことができるため効率良くビジネスができ、全体の構造が簡単で製造が安価に提供できるタクシー用空車表示装置を提供する。【解決手段】少なくとも３層以上の透光性のプレートを、積層固着させた積層透光体の中央のプレートに「空車」という文字表示の透孔部２を形成し、この透孔部２内に多数のＬＥＤ半導体照明ランプ３を埋設し、隣接したプレートを通して表裏両面より発光照射可能とすると共に、積層透光体の下部にタクシーの屋根上に載置固定できる支持脚体を設け、かつＬＥＤ半導体照明ランプ３と接続した導線を導出させて成ることを特徴とする。【選択図】図１
0003199828.tif 000002
【実用新案登録請求の範囲】
【請求項１】
少なくとも３層以上の透光性のプレートを、積層固着させた積層透光体の中央のプレートに「空車」という文字表示の透孔部を形成し、この透孔部内に多数のＬＥＤ半導体照明ランプを埋設し、隣接したプレートを通して表裏両面より発光照射可能とすると共に、前記積層透光体の下部にタクシーの屋根上に載置固定できる支持脚体を設け、かつ前記ＬＥＤ半導体照明ランプと接続した導線を導出させて成ることを特徴とするタクシー用空車表示装置。
【請求項２】
前記ＬＥＤ半導体照明ランプは、運転席前方に配設される空車表示の発光と同期して点燈できるようにしたことを特徴とする請求項１記載のタクシー用空車表示装置。
【請求項３】
透光性のプレートは、アクリル性樹脂板であって、３板以上の積層構造であることを特徴とする請求項１記載のタクシー用空車表示装置。
【請求項４】
前記支持脚体の取付方向は、タクシーの車体方向に対して前後方向又は左右方向のいずれか一方であることを特徴とする請求項１記載のタクシー用空車表示装置。
【考案の詳細な説明】
【技術分野】
【０００１】
本考案は、一般利用者が、路上でタクシーを容易に見付けて利用できるようにし、かつ構造が簡単で安価に製造提供できるので、タクシーへの設置も簡単簡易にできるようにしたタクシー用空車表示装置に関する。
【背景技術】
【０００２】
一般に知られる空車表示部は、運転席の前方のフロントガラスの基部近くの棚越しに見える料金表示ボックスに設けられた起倒レバーに表示されて、客探しの時は「空車」表示がフロントガラス越しに路上の人達に見られるように起立させ、乗車状態で走行する時は、起立状態の起倒レバーを下降させて「空車」表示がフロントガラス越しには見えない状態にして走行している。
【０００３】
また、タクシーの天上屋根には、所属企業名とか個人タクシーなどを表示する種々の形状の警報ボックスが取付けられており、路上一般の人が見付けることができ、使用者の便利性に貢献しており、併せて車内での事故発生の場合は、点滅ランプを働かせて点滅ランプの光線を、警報ボックスより透光させて車内の異常状態を外部に知らせるようにした構成を備えている。
【０００４】
そして、更に上記構成に加えて、「空車」を表示し、点燈させて、路上の一般客に客待ち状態を知らせるようにした先行技術を知られている（例えば、特許文献１，２参照。）
【先行技術文献】
【特許文献】
【０００５】
【特許文献１】特開平８−２３４１号公報
【特許文献２】特開２００１−１８４００７号公報
【考案の概要】
【考案が解決しようとする課題】
【０００６】
一般にタクシーの営業時の、昼間時の業務形態表示板、即ち空車ランプにあっては車内にある為、太陽光線の照り返し等により視認しがたく、直近に来るまで確認できないという問題がある。
【０００７】
また、夜間時、屋上社名表示は東京地区では点灯（空車中）、消灯（他の業務中）としているが、これを知る人は少ない。地方出身者、外国人観光客等では皆無に近い。
【０００８】
この為、利用時の切迫感により、歩道側から車道に近づき、あるいは車道に出て手を上げる。（利用表示）そのため、交通トラブルのリスクがあり、場合によっては事故の危険が伴う。特に高齢者はこの度合が高まるという課題がある。
【０００９】
以上の理由により、本考案は従来品より明確に営業状態（空車文字）を表示することを目的とする。
【課題を解決するための手段】
【００１０】
この考案は下記の構成を備えることにより上記課題を解決できるものである。
【００１１】
（１）少なくとも３層以上の透光性のプレートを、積層固着させた積層透光体の中央のプレートに「空車」という文字表示の透孔部を形成し、この透孔部内に多数のＬＥＤ半導体照明ランプを埋設し、隣接したプレートを通して表裏両面より発光照射可能とすると共に、前記積層透光体の下部にタクシーの屋根上に載置固定できる支持脚体を設け、かつ前記ＬＥＤ半導体照明ランプと接続した導線を導出させて成ることを特徴とするタクシー用空車表示装置。
【００１２】
（２）前記ＬＥＤ半導体照明ランプは、運転席前方に配設される空車表示の発光と同期して点燈できるようにしたことを特徴とする前記（１）記載のタクシー用空車表示装置。
【００１３】
（３）透光性のプレートは、アクリル性樹脂板であって、３板以上の積層構造であることを特徴とする前記（１）記載のタクシー用空車表示装置。
【００１４】
（４）前記支持脚体の取付方向は、タクシーの車体方向に対して前後方向又は左右方向のいずれか一方であることを特徴とする前記（１）記載のタクシー用空車表示装置。
【考案の効果】
【００１５】
本考案によれば、「空車」表示が、透光性の板状体の内部に設けられるＬＥＤ半導体照明ランプが点燈してタクシー外部に「空車」状態を示しているので、昼間は勿論のこと、夜間にも光線を通してタクシー待ちの一般歩行者は、多数の乗用車の走行中でも簡単に見付けられて呼び寄せることが可能である。併せて、タクシー運転者は、容易にタクシー待機中の者をつかむことができ、効率良くビジネスができる。特に、全体の構造が簡単で製造が安価に提供できるので、個人タクシー運転者など小規模タクシー業者には安価に提供できて、広く実用に供し得る。
【図面の簡単な説明】
【００１６】
【図１】「空車」文字にＬＥＤ半導体照明ランプを配設した状態を示す正面図
【図２】図１に示すＬＥＤ半導体照明ランプの収納状態を拡大して示す断面図
【図３】図２のＡ−Ａ線断面図
【図４】本考案に係る「空車」表示をタクシー運転席近くに配設される料金メーターの空車表示プレートと連動させるための電源回路を模式的に示す概略図
【図５】（ａ）（ｂ）は、本考案に係るタクシー用空車表示装置の二実施例を示す使用状態の概略斜視図
【図６】（ａ）は図５（ａ）の平面図、（ｂ）は図５（ｂ）の平面図
【考案を実施するための形態】
【００１７】
以下本考案実施するための最良の形態を、実施例により詳しく説明する。
【実施例】
【００１８】
図面について説明する。
【００１９】
１は透光性のプレートであって、３枚の同一同形のプレート１ａ、１ｂ及び１ｃで構成されて積層透光体ａを形成している。２は中央のプレート１ｂに穿った透孔部であって、「空車」という漢字表示を表現している。
【００２０】
図５（ａ）及び図６（ａ）は「空車」の透孔部２は横書きで形成してあるが、図５（ｂ）及び図６（ｂ）の「空車」の透孔部２は縦書きで形成してある。
【００２１】
３は、前記透孔部２内に配設される多数のＬＥＤ半導体照明ランプであって、プレート１ｂの表裏両面に向って発光できるように配設し、内設したリード線４と接続して平列に配設させて多数のＬＥＤ半導体照明ランプ３の集合体で「空車」という文字が表示できるようになっている。
【００２２】
プレート１ａ，１ｃは、前記中央のプレート１ｂの表裏両面に添接される保護機能を有し、多数のＬＥＤ半導体照明ランプ３を保護して、風雨、ほこり、汚れを遮断している。
【００２３】
５は、前記プレート１の下面に形成した支持脚体であって、下面には接着剤、粘着剤など、固定剤が剥離体を介して形成され、タクシーの屋根６上に好みの箇所に自由に接着起立させることを可能にしている。多くの場合、タクシーの企業名、社名、個人タクシーを表示した、点燈可能のランプＬが設けてあるので、このランプＬの取付箇所より図５（ａ）及び図６（ａ）や、図５（ｂ）及び図５（ｂ）のように一般路上の客に見やすい位置に取付けるのが良い。
【００２４】
以上の構成のうち、３種のプレート１ａ、１ｂ、１ｃより成る積層透光体ａ及び支持脚体５は、アクリル樹脂製で安価にかつ透光性良く加工形成するのが好ましい。
【００２５】
そして、リード線４は纏めて中央のプレート１ｂの下方より導出させ、既存のタクシーの屋根６に配置させてある各会社、社名、個人タクシー表示ランプ、その他の点燈ランプＬのリード線４と同一の直流電源となるようにして、運転席に設けられる各種メーター機器７と電気的に接続して、運転者や企業、所属事務員や整備運送業務等によって簡単に行なわせることができる。
【符号の説明】
【００２６】
１、１ａ、１ｂ、１ｃ    プレート
２    透孔部
３    ＬＥＤ半導体照明ランプ
４    リード線
５    支持脚体
６    屋根
７    メーター機器
ａ    積層透光体
Ｌ    ランプ
【図１】
0003199828.tif 000003
【図２】
0003199828.tif 000004
【図３】
0003199828.tif 000005
【図４】
0003199828.tif 000006
【図５】
0003199828.tif 000007
【図６】
0003199828.tif 000008